(57)【要約】【課題】防水用パッキン等が不要で、簡単な構造で、雨水等の液体による、装置内部の構成要素への不具合を防止することができる物品回収装置を提供する。【解決手段】投入口から物品を回収する物品回収装置は、投入口からの物品を回収して収納部へ収納する収納経路と、物品回収装置内へ侵入する液体を、収納経路とは異なる経路で物品回収装置外へ排出する排水経路とを有する。また、排水経路は、物品回収装置の機体と外装カバーとの間の位置に設けられている。【選択図】図５
2019043742.tif 000002
【特許請求の範囲】
【請求項１】
投入口から物品を回収する物品回収装置であって、
前記投入口からの物品を回収して収納部へ収納する収納経路と、
前記物品回収装置内へ侵入する液体を、前記収納経路とは異なる経路で前記物品回収装置外へ排出する排水経路とを有する
ことを特徴とする物品回収装置。
【請求項２】
前記排水経路は、物品回収装置の機体と外装カバーとの間の位置に設けられていることを特徴とする請求項１に記載の物品回収装置。
【請求項３】
前記投入口に対して開閉自在に設けられた外扉と、
前記投入口の内側に位置し、前記投入口からの物品を載置可能な載置部と、を有し、
前記載置部は、装置外へ液体を排水する排水経路に、前記外扉からの液体を案内する案内部を有する
ことを特徴とする請求項１または請求項２に記載の物品回収装置。
【請求項４】
前記排水経路は、前記載置部の前記案内部の下方に設けられ、前記案内部からの液体を機体外へ導く傾斜部を有することを特徴とする請求項３に記載の物品回収装置。
【請求項５】
前記外扉は、前記投入口としての開口部を備えた外装カバーよりも内側の位置で、スライドにより前記投入口に対して開閉自在に設けられ、
前記外扉は、前記開口部に対して閉状態で、前記外扉の下端以外の周辺部に設けられた、液体の侵入を防ぐ壁部と、
前記外扉の周辺部の下端位置に設けられた、液体を前記排水経路に流出する流出部と、を有することを特徴とする請求項３または請求項４に記載の物品回収装置。
【請求項６】
前記流出部は、前記外扉の略両端に配置されていることを特徴とする請求項５に記載の物品回収装置。
【請求項７】
前記案内部は、前記外扉が閉状態で、前記流出部の下方に設けられていることを特徴とする請求項５または請求項６に記載の物品回収装置。
【請求項８】
前記載置部に載置された物品の質量を計量する計量部を有し、
前記載置部の前記案内部は、前記外扉、前記排水経路、及び外装カバーに対して離間した構造を有することを特徴とする請求項３から請求項７のいずれか１項に記載の物品回収装置。
【請求項９】
前記載置部は、前記投入口に対して反対側の端部が下向きに傾斜した物品用傾斜部を有し、
前記載置部の案内部は、前記載置部の投入口側の端部に設けられ、前記物品用傾斜部の傾斜に対して逆勾配の液体用傾斜部を有することを特徴とする請求項３から請求項８のいずれか１項に記載の物品回収装置。
【請求項１０】
前記載置部の物品用傾斜部の下流側へ流れる液体を受けて該液体を前記排水経路に案内する液体案内部を有することを特徴とする請求項３から請求項９のいずれか１項に記載の物品回収装置。
【発明の詳細な説明】
【技術分野】
【０００１】
本発明は、物品回収装置に関する。
【背景技術】
【０００２】
空容器を回収する空容器回収装置が知られている（例えば、特許文献１参照）。
一般的な空容器回収装置は、投入口から投入されたＰＥＴボトル等の空容器を、適宜、減容して装置内の容器収容部に収容する。
【先行技術文献】
【特許文献】
【０００３】
【特許文献１】特開２０１３−９１５４６号公報
【発明の概要】
【発明が解決しようとする課題】
【０００４】
しかしながら、一般的な空容器回収装置が屋外に設置された場合、雨水等が装置内に侵入して、装置内の構成要素に不具合を生じる虞がある。
また、故意に液体（ジュースなどの液体）を空容器回収装置に掛けられた場合、回収口から液体が装置内に侵入し、装置内の構成要素に不具合を生じる虞がある。
【課題を解決するための手段】
【０００５】
本発明の物品回収装置は、少なくとも以下の構成を具備するものである。
投入口から物品を回収する物品回収装置であって、
前記投入口からの物品を回収して収納部へ収納する収納経路と、
前記物品回収装置内へ侵入する液体を、前記収納経路とは異なる経路で前記物品回収装置外へ排出する排水経路とを有することを特徴とする。
【発明の効果】
【０００６】
本発明の物品回収装置は、防水用パッキン等が不要で、簡単な構造で、雨水等の液体による、物品回収装置の内部の構成要素への不具合を防止することができる。
また、本発明の物品回収装置は、屋外に物品回収装置が配置された場合であっても、機体内の物品回収袋などの物品回収部（容器収容部）に雨水等の液体が溜まることを防止することができる。
【図面の簡単な説明】
【０００７】
【図１】本発明の実施形態に係る物品回収装置としての容器回収装置の全体概念図、（ａ）は容器回収装置の正面図、（ｂ）は容器回収装置の側面図。
【図２】本発明の実施形態に係る物品回収装置（容器回収装置）の容器収容部の一例を説明するための図、（ａ）は容器収容部の一例を示す斜視図、（ｂ）は容器収容用袋とキャップ収容用袋を装着した状態の容器収容部の一例を示す図。
【図３】本発明の実施形態に係る物品回収装置（容器回収装置）の外扉、載置部、排水経路の一例を説明するための部分透過図。
【図４】本発明の実施形態に係る物品回収装置の排水経路の一例を示す背面側からの斜視図。
【図５】本発明の実施形態に係る物品回収装置の外扉と載置部の案内部と排水路の一例を示す断面概念図。
【図６】本発明の実施形態に係る物品回収装置（容器回収装置）の外扉、内扉、載置部、計量部の概念図。
【図７】外扉が閉状態の物品回収装置の一例を示す斜視図。
【図８】図７に示した物品回収装置の外装カバーを取り外した状態の一例を示す図。
【図９】外扉が開状態、内扉が閉状態の物品回収装置の外装カバーを取り外した状態の一例を示す斜視図。
【図１０】載置部に載置された物品から流出した液体を排出する機構を備えた物品回収装置の一例を説明するための概念図。
【図１１】本発明の実施形態に係る物品回収装置の上部外装カバーを説明するための図、（ａ）は上部外装カバーの正面図、（ｂ）は平面図、（ｃ）は（ｂ）のＣ−Ｃ線に沿った断面図、（ｄ）は（ｂ）のＤ−Ｄ線に沿った断面図。
【発明を実施するための形態】
【０００８】
以下、本発明の実施形態を、図面を参照しながら説明する。本発明の実施形態は図示の内容を含むが、これのみに限定されるものではない。尚、以後の各図の説明で、既に説明した部位と共通する部分は同一符号を付して重複説明を一部省略する。なお、本発明の実施形態に係る物品回収装置として、例えば、容器回収装置を説明する。
【０００９】
本発明の実施形態に係る物品回収装置は、投入口の外扉を開放して投入口から物品を回収し、その物品を機体内に設けられた容器回収部へ収容する。また、物品回収装置は、必要に応じて減容部により物品を減容した後、その減容された物品を容器回収部へ収容してもよい。詳細には、物品回収装置は、投入口に対して開閉自在に設けられた外扉と、投入口の内側に位置し、投入口からの物品を載置可能な載置部とを有する。また、物品回収装置は、物品としてのＰＥＴボトル等を横向きに載置するように投入口や載置部等が構成されている。
【００１０】
物品としては、ＰＥＴボトル、缶、ビンに限定されず、例えば、牛乳パック、トレー、インクカートリッジ、図書館やレンタル店への返却物（本やＤＶＤなど）、クリーニング品、電池、電球など、回収の対象となる物品であればよい。つまり、容器回収装置は物品回収装置の一実施例である。
【００１１】
また、本実施形態では、投入口から物品を回収する物品回収装置は、投入口からの物品を回収して収納部へ収納する収納経路と、物品回収装置内へ侵入する液体を、前記収納経路とは異なる経路で物品回収装置外へ排出する排水経路とを有する。この液体としては、例えば、雨水、飲料水、水道水、洗浄液などを挙げることができる。
また、物品回収装置の載置部は、装置外へ雨水等の液体を排水する排水経路に、外扉からの雨水等の液体を案内する案内部を有する。また、載置部は計量部上に配置されており、載置された物品の質量を高精度に計量するように、載置部の案内部が、外扉の流出部、排水経路、外装カバー等に対して離間して配置されている。
【００１２】
また、物品回収装置は、待機時、物品投入部の外扉が閉状態であり、物品投入部と収容部の間に開閉自在に設けられた内扉が閉状態である。物品回収時に、物品投入部の外扉が開状態となり、コンピュータ等の制御部（不図示）の判別部により、載置部へ載置された物が回収対象物の物品（例えば、ＰＥＴボトル等の樹脂製の空容器）であるか否かが判別される。回収対象物の物品（空容器）であると判別された場合、外扉が閉状態となり、物品投入部と収容部の間に設けられた内扉が開状態となり、収容部により容器が回収される。本実施形態では、容器回収装置が減容機構を備え、減容機構により容器を減容することで、規定容量の回収部にて多量の減容された空容器を回収可能である。
【００１３】
詳細には、図１に示したように、本発明の実施形態に係る物品回収装置１００は、装置本体部１００Ｂの上部に容器投入部１１０が設けられており、容器投入部１１０の開口部には外扉１１１が設けられている。装置本体部１００Ｂは、外扉１１１よりも上部付近の正面側に、表示操作部３、送受信部４（通信部）が設けられている。また、装置本体部１００Ｂの正面側には、荷物フック１００ｆが設けられている。
【００１４】
また、物品回収装置１００は、装置本体部の機体の外側が外装カバーＣＶにより保護されている。詳細には、外装カバーＣＶは、上部外装カバーＣＶ１、中央部外装カバーＣＶ２等を有する。
【００１５】
また、容器投入部１１０の下方には、容器収容部１４０に連通する通路が設けられており、容器投入部１１０の載置部１１６から容器収容部１４０への通路７１に内扉１１２が設けられている。
【００１６】
本実施形態では、物品回収装置１００は、内扉１１２と、容器収容部１４０の間に減容部１２０（減容機構）が設けられている。減容部１２０は、内扉１１２が開状態の場合、容器投入部１１０からの空容器Ａを押し潰して減容し、減容された容器ＲＡを、下方の容器収容部１４０に出力する。
また、物品回収装置１００の装置本体部１００Ｂは、容器収容部１４０を載置した引出し１００Ｃを有し、正面側には引出用取手１００ｅや、鍵孔１００ｒが設けられており、鍵を鍵孔１００ｒに差込み施解錠可能に構成されている。
【００１７】
また、装置本体部１００Ｂの正面側、詳細には、引出し１００Ｃの正面側には、透光部１００Ａ（透光窓）が設けられており、外部から容器収容部１４０に収容されている空容器を視認可能に構成されている。
また、装置本体部１００Ｂの側面部には、搬送時に用いられる移動用取手１００ｇが設けられている。
【００１８】
また、装置本体部１００Ｂは、正面側にキャップ投入部１０８を備え、キャップ投入部１０８から装置本体部内で下方に向かってキャップ用通路７２が設けられ、キャップ投入部１０８に投入されたキャップがキャップ用通路７２を介してキャップ収容部１４５に収容されるように構成されている。
尚、キャップ用通路７２は、キャップと、キャップよりも小さなものを仕分けする機構を有してもよい。具体的には、キャップ用通路７２が分岐されて、分岐部に網の目状の部材にて、飲み残し吸い殻、雨水等は別経路で排出、蓄積し、キャップのみキャップ収容部１４５へ収まるようにしてもよい。
【００１９】
＜容器収容部＞
次に、物品回収装置の容器収容部１４０の一例を、図２を参照しながら説明する。詳細には、図２（ａ）は容器収容部１４０の一例を示す斜視図であり、図２（ｂ）は容器収容用袋ＢＢとキャップ収容用袋ＢＳを装着した容器収容部１４０の一例を示す図である。
【００２０】
物品回収装置１００の装置本体部１００Ｂの下部に着脱自在に設けられた容器収容部１４０は、図２（ａ）に示したように、上部に開口部、下部に底部を備えた略直方体の容器であり、正面側に透光部１４０ａ、又は半透光部が設けられており、外部から容器収容部１４０の内部を容易に視認可能に構成されている。
【００２１】
また、上部に開口部を有する容器収容部１４０には、図２に示したように、大型の容器収容用袋を着脱自在に設けられる。本実施形態では、上部に略矩形状の開口部を有する容器収容部１４０は、側面上端付近に、容器収容用袋ＢＢを固定するための差込口１４０ｂが設けられている。本実施形態では、長円形の弾性部材の中央部にスリット状の差込口１４０ｂが形成されている。
【００２２】
容器収容用袋ＢＢを容器収容部１４０に取り付ける場合、容器収容用袋ＢＢを容器収容部１４０の中央部に収容し、その容器収容用袋ＢＢの上端を外側へ折り返して、差込口１４０ｂに差し込む。つまり、弾性部材のスリット状の差込口１４０ｂに差し込むことにより、袋がスリットに係止することで、容器収容部１４０に容器収容用袋ＢＢが固定される。
【００２３】
例えば、複数の容器を容器収容用袋ＢＢ内に回収した後、容器収容用袋ＢＢを容器収容部１４０から取り外す場合、差込口１４０ｂから、容器収容用袋ＢＢを所定の力以上で引っ張ることで、非係合状態となり、袋を容易に取り外すことができる。
【００２４】
また、本実施形態では、容器収容部１４０の一部分にキャップ収容部分が設けられている。詳細には、キャップ収容用袋ＢＳが、容器収容部１４０の一隅部に配置されている。キャップ収容用袋ＢＳは、例えば、２つの持ち手部分を備えていることが好ましい。
容器収容部１４０は、角部の側面上部付近に、鈎部などの係止部が設けられている。容器収容部１４０は、この係止部に、キャップ収容用袋ＢＳの持ち手部分を係止して、袋の開口部をキャップ通路の出口付近に配置することで、簡単な構造で、キャップを容易に収容することができる。
【００２５】
すなわち、図２に示した例では、キャップ収容部が、容器収容部１４０内に支持された構造を有する。また、キャップ収容部としてのキャップ収容用袋ＢＳの持ち手部分ＢＳａが、容器収容部１４０の外側面上部付近にフックなどの係止部に１４０ｆに係止することで、簡単に上記構成を実現することができる。また、容器収容部１４０内にキャップ収容部が設けられた構造を有するので、省スペース化を実現することができる。
【００２６】
図３は物品回収装置１００（容器回収装置）の外扉１１１、載置部、排水経路の一例を説明するための部分透過図である。
物品回収装置１００は、投入口ＴＳに対して開閉自在に外扉１１１が設けられている。外扉１１１の下端部の左右端部付近には、雨水等の液体を下方に流出する流出部１１１ｃが設けられている。
載置部１１６は、投入口ＴＳの内側に位置し、投入口ＴＳからの物品を載置可能に構成されている。
載置部の下方位置には、雨水等の液体を装置外へ排水する排水経路ＤＲとしての排水部材Ｄ１や排水用管部材Ｄ２が設けられている。また、排水経路ＤＲの排水部材Ｄ１は、雨水等の液体を機体外へ導く傾斜部Ｄ１ａを有する。
載置部１１６は、外扉１１１の流出部１１１ｃからの雨水等の液体を排水経路ＤＲへ案内する案内部１１６ｃを有する。
【００２７】
図４に示した例では、物品回収装置１００の本体部内に、載置部１１６の案内部１１６ｃの下方位置に、排水経路ＤＲとしての排水部材Ｄ１が設けられ、さらには排水部材Ｄ１に接続された排水用管部材Ｄ２が、容器収容部１４０（物品収容部）と本体部の内側面の間を通り、機体の底部、裏面、又は側面部に設けられた孔部１００ｈへと至るように設けられ、雨水等の液体が機体外へ排水される。排水用管部材Ｄ２としては、例えば、樹脂製のパイプ等を挙げることができる。
雨水等の液体は、外扉１１１の流出部、載置部の案内部、排水路（排水部材）を介して、物品回収装置１００の装置本体部１００Ｂの機体外へ排出される。
【００２８】
なお、物品回収装置１００を屋内に設置する場合、雨水等を機体外に排水するのではなく、容器収容部１４０の袋や専用の袋の中へ雨水等を導くように、排水路を規定してもよい。詳細には、例えば、ジュースなどの液体を物品回収装置にこぼしてしまった場合、機体外に排出してしまうと屋内に排水してしまうので、容器収容部１４０の袋や専用の袋の中へ液体を導くように、排水路を規定してもよい。
また、図４に示した例では、排水路としての樹脂製のフレキシブルな排水用管部材Ｄ２が物品回収部（容器収容部）の袋へ導くように配置可能に構成されている。
本実施形態では、物品回収装置１００は、屋外に設置される場合と屋内に設置される場合とで、排水先の場所を切替えることができるように構成されている。
【００２９】
また、本実施形態では、図５に示したように、物品回収装置１００の外扉１１１が閉状態の場合、外扉１１１の下端部に設けられた流出部１１１ｃの下部に、載置部１１６の案内部１１６ｃが所定距離だけ離れて位置し、その案内部１１６ｃの下部に、排水経路ＤＲとなる排水部材Ｄ１が所定距離だけ離れて配設されている。本実施形態では、排水部材Ｄ１は、金属平板の下端部が鋭角に折り返された形状の溝を有する。
雨水等の液体は外扉１１１の表面を伝って下端側へ流れ、下端部の流出部１１１ｃから、下方の載置部１１６の案内部１１６ｃへ自然落下する。そして、雨水等の液体は、載置部１１６の案内部１１６ｃから下方の排水部材Ｄ１の溝部へ自然落下し、勾配のある溝部を伝って管状の排水用管部材Ｄ２へ流れ、排水用管部材Ｄ２から上述したように機体外へ自然排水される。
【００３０】
図６に示したように、本発明の実施形態に係る物品回収装置１００の容器投入部１１０は、載置部１１６、外扉１１１、内扉１１２、台座１１８、計量部７、外扉用支持部Ｓ１１１、内扉用支持部Ｓ１１２、外扉駆動部５、内扉駆動部６、第１の制限部Ｋ１１１、第２の制限部Ｋ１１２などを有する。
【００３１】
載置部１１６は、回収対象物などを載置可能に構成されている。載置部１１６の側壁部１１６ａには、受光部９ａや発光部９ｂなどの光センサ９や金属センサなどが設けられている。また、載置部１１６の下部には計量部７が設けられている。
【００３２】
また、本実施形態では、載置部１１６は、その載置面が水平ではなく、物品の投入口側（外扉１１１が開状態のときの開口側）よりも容器収容部１４０側が低くなるように傾斜をつけて設けられている。すなわち、載置部１１６は、投入された物品が自重により容器収容部１４０側（又は減容部１２０側）へ落ちることを促すように構成されている。これにより、物品（投入物）を容器収容部１４０へ送るための搬送機構を設ける必要がなく、小型の物品回収装置を提供することができる。
また、載置部１１６は、載置面の表面に表面処理が施され凹凸部が形成されており、投入された物品が載置部に貼りつくことを防止する構造を有する。物品回収装置が容器回収装置である場合、容器が濡れていたとしても、容器表面と載置部の凹凸形状の表面との接触面積が比較的小さいので濡れによる表面張力が小さくなり、容器が容器収容部１４０側へ容易に移動する。すなわち、濡れている容器が容器収容部側へ落ちないといった不具合を防ぐことができる。
【００３３】
外扉１１１は、載置部１１６の外側に設けられている。モータ等の外扉駆動部５は、外扉１１１を開閉自在に駆動する。
内扉１１２は、載置部１１６と減容部１２０との間の通路７１に設けられている。内扉駆動部６は、内扉１１２を開閉自在に駆動する。この内扉１１２には、空容器の載置状態を案内する案内部１１２Ｄが設けられている。案内部１１２Ｄは、露出され装置本体部から視認可能な位置に設けられている。案内部１１２Ｄは、物品（ＰＥＴボトルなどの空容器等）を規定の向き、規定の位置（例えば、３５０ｍｌ、５００ｍｌ、２０００ｍｌなど）に載置するように情報として案内表示されている。この案内部１１２Ｄは、内扉１１２の表面に設けられた凹部、凸部、ステッカー、ＬＥＤ表示部、ＬＣＤなどであってもよい。
また、物品回収装置は、撮像部などの検出センサにより、案内部１１２Ｄにより示された載置位置に、正しく物品が載置されているかを判定するための判定手段を備えていてもよい。また、撮像処理や光学センサなどの検知部により、載置向き及び位置が正しくない場合は、報知などを行うこともできる。
【００３４】
本実施形態では、物品回収装置１００は、台座１１８を有し、この台座１１８は外扉１１１、及び外扉駆動部５を支持する外扉用支持部Ｓ１１８、Ｓ１１１を有する。詳細には、２つの外扉用支持部Ｓ１１８の上端部には外扉駆動部５、回転軸Ｃ１１１が設けられ、回転軸Ｃ１１１に扇形状の外扉用支持部Ｓ１１１が回動自在に設けられ、扇形状の外扉用支持部Ｓ１１１により外扉１１１が支持されている。２つの回転軸Ｃ１１１のうち一方の回転軸Ｃ１１１は、外扉駆動部５のモータの回転軸に接続されている。
扇形状の外扉用支持部Ｓ１１１には、内扉１１２の回転軸Ｃ１１２が貫通する孔部Ｓ１１１ｈが設けられている。
【００３５】
計量部７は、台座１１８と載置部１１６の間に配置され、載置部１１６を支持する。
【００３６】
また、内扉１１２は、開状態で、載置部１１６に載置された空容器を減容部１２０へ案内するように構成されている。また、本実施形態では、計量部７上に配置され、計量部７と載置部１１６の間から延出した構造の内扉用支持部Ｓ１１２により、内扉駆動部６や内扉１１２が支持されている。内扉駆動部６には、内扉１１２の回転軸Ｃ１１２が設けられ、その回転軸Ｃ１１２に内扉１１２が設けられている。内扉１１２を開状態とすることで、回収対象物を装置本体部内の容器収容部１４０へ案内することができる。また、内扉用支持部Ｓ１１２は、回転軸Ｃ１１１が貫通される孔部Ｓ１１２ｈを有する。
【００３７】
すなわち、台座１１８の外扉用支持部Ｓ１１１により外扉駆動部５や外扉１１１が支持され、台座１１８上に配置された計量部７の上部に載置部１１６が設けられているので、計量部７により、載置部１１６に載置された回収対象物などの質量を高精度に計量することができる。詳細には、計量部７上には、外扉１１１や外扉駆動部５を支持していない構造であるので、計量部７は、外扉１１１や外扉駆動部５の振動等の影響を受けにくい構造となっており、載置部１１６上の回収対象物の質量を高精度に計量することができる。
【００３８】
また、本発明の実施形態に係る物品回収装置としての物品回収装置１００の外扉１１１は、載置部１１６を露出する開位置と、載置部１１６を覆う閉位置との間を移動可能に構成されており、外扉１１１が閉じる場合、外扉１１１が開位置から、載置部１１６に向かって閉位置へ移動可能に構成されている。すなわち、外扉１１１が開状態から、載置部１１６へ向かって動き閉じるように構成されているので、例えば、ユーザの手や腕などが、外扉１１１と載置部１１６の間に挟まれたとき、計量部による計量値が変動し、制御部がその変動を検出することで、ユーザの手や腕、異物などが、外扉１１１と載置部１１６の間に挟まれたことを容易に検知することができる。
【００３９】
また、本発明の実施形態に係る物品回収装置１００（容器回収装置）において、外扉１１１は、内扉１１２の移動を制限する第１の制限部Ｋ１１１を備える。内扉１１２は、外扉１１１の移動を制限する第２の制限部Ｋ１１２を備える。第１の制限部Ｋ１１１と、第２の制限部Ｋ１１２により、外扉１１１及び内扉１１２の両方が開状態となることを制限する機構を有する。
すなわち、物品回収装置１００は、外扉１１１に設けられた第１の制限部Ｋ１１１と、内扉１１２に設けられた第２の制限部Ｋ１１２を有するので、機械的に簡単な構造で、外扉１１１と内扉１１２それぞれの開閉状態に応じて、各扉の開閉動作を制限することができる。
【００４０】
また、物品回収装置１００の第１の制限部Ｋ１１１は、外扉１１１の移動に応動するように構成されている。第２の制限部Ｋ１１２は、内扉１１２の移動に応動するように構成されている。また、物品回収装置１００は、外扉１１１が開状態の場合、第１の制限部Ｋ１１１が内扉１１２の移動を制限するように構成されており、内扉１１２が開状態の場合、第２の制限部Ｋ１１２が外扉１１１の移動を制限するように構成されている。
詳細には、本実施形態では、物品回収装置１００は、外扉１１１が開状態の場合、内扉１１２が閉状態のまま、開状態となることを制限するように構成されている。すなわち、外扉１１１が開口状態で、投入された物が載置部１１６に載置された時には、内扉１１２は閉状態であり、開状態とはならず、載置部１１６に載置された物が、回収対象物、又は非回収対象物であるに関わらず、装置本体部１００Ｂ内の容器収容部１４０にそれを収容しないように構成されている。すなわち、この状態では、内扉１１２に物品（回収対象物、又は非回収物）が当接した状態であり、内扉１１２は載置部の一部を兼ねる構造となっている。
【００４１】
次に、図７、図８、図９等を参照しながら、物品回収装置１００の外扉１１１の流出部１１１ｃ、載置部１１６の案内部１１６ｃ等について説明する。
【００４２】
外扉１１１は、上部から下端部に向けて外側に湾曲した形状の曲面状部１１１ａと、下端部から前方に突出した突出部１１１ｂと、外扉１１１の下端部の左右端部付近に流出部１１１ｃ、１１１ｃが設けられている。流出部１１１ｃは、凹部、孔部、又は切欠部等であり、雨水等の液体が下方へ流出するような形状に形成されていている。
また、外扉１１１の曲面状部１１１ａの周辺部の下端以外の部分には、雨水等の機内への侵入を防ぐ所定の高さに突出した壁部１１１ｅ、１１１ｆ，１１１ｇが設けられている。左右両側の壁部１１１ｅ、１１１ｆは、外扉１１１の開閉方向に沿って設けられている。壁部１１１ｇは、外扉１１１の上部に設けられている。壁部１１１ｇは、外扉１１１が閉状態で、外扉１１１の上部に設けられており、開閉方向に対して直交する方向に延設されている。
【００４３】
外扉１１１が閉状態の場合、壁部１１１ｅ、１１１ｆ、１１１ｇよりも外側の部分は、外装カバーにより覆われており、雨水等が壁部１１１ｅ、１１１ｆ、１１１ｇを越えて機体内へ侵入することを防止した構造となっている。
【００４４】
載置部１１６の前方端部の左右両側に設けられた案内部１１６ｃは、雨水等の流出方向へ延びるように凹設された溝部である。
載置部１１６の前方端部には、左右方向（開閉方向に直交する方向）に延設された平坦な部分１１６ｆが設けられており、本実施形態では、この平坦な部分１１６ｆが前方に向かって下方に僅かに傾斜して形成されている。
【００４５】
詳細には、案内部１１６ｃは、第１傾斜部１１６ｃａ、第２傾斜部１１６ｃｂ、壁部１１６ｃｃを有する。
第１傾斜部１１６ｃａは、平坦な部分１１６ｆよりも低い位置に形成され、前方に向かって下方に傾斜して形成されている。本実施形態では、第１傾斜部１１６ｃａは、角度が約２０°だけ水平面に対して傾斜している。
【００４６】
第２傾斜部１１６ｃｂは、第１傾斜部１１６ｃａの上部に設けられており、第１傾斜部１１６ｃａよりも大きい角度に傾斜しており、本実施形態では、第２傾斜部１１６ｃｂは、角度が約６０°だけ水平面に対して傾斜している。
【００４７】
壁部１１６ｃｃは、第１傾斜部１１６ｃａと第２傾斜部１１６ｃｂの左右両側に設けられており、雨水等を流出方向へ導くとともに、左右両側から雨水等が流出するのを防ぐ構成となっている。
【００４８】
上述したように、外扉１１１が閉状態で、その外扉１１１の表面に付着した雨水等の液体は、外扉１１１の曲面状の表面に沿って下方に流れ、流出部１１１ｃ、１１１ｃから下方へ流れる。流出部１１１ｃ、１１１ｃの下方には、所定距離だけ離れた位置に載置部１１６の案内部１１６ｃが設置され、その案内部１１６ｃに、流出部１１１ｃからの雨水等が流れ落ち、案内部１１６ｃから、その案内部１１６ｃの下方に設けられた排水路へ雨水等が流出する水路により容器回収装置の機外へ排出される。
【００４９】
図１０に示した、本発明の実施形態に係る物品回収装置１００は、載置部１１６の物品用傾斜部１１６ｇの下流側へ流れる液体（容器等から流出したジュース、水、コーヒー等の内容物）を受けて、その液体を排水経路ＤＲに案内する液体案内部１１６ｖを有する。この液体案内部１１６ｖは、載置部１１６の載置面よりも下部に設けられており、好ましくは、載置面と計量部７の間に設けられている。この液体案内部１１６ｖは、載置部１１６と同様に計量部７上に配置されていてもいいし、外扉１１１と同様に、計量部７と離間して配置されていてもよい。
例えば、投入口からの容器などの物品に内容物の液体が残っており、その液体が載置部に漏れて載置部の傾斜面に沿って奥側へ流れた場合であっても、液体案内部１１６ｖ、排水経路ＤＲを通って、機外に排水することができる。
【００５０】
図１１は本発明の実施形態に係る物品回収装置の上部外装カバーＣＶ１を説明するための図である。詳細には、図１１（ａ）は上部外装カバーＣＶ１の正面図、図１１（ｂ）は平面図、図１１（ｃ）は図１１（ｂ）のＣ−Ｃ線に沿った断面図、図１１（ｄ）は図１１（ｂ）のＤ−Ｄ線に沿った断面図である。
【００５１】
上部外装カバーＣＶ１の上面部分には、左右方向に延在する溝部ＣＶ１ａが設けられている。この溝部ＣＶ１ａは、中央部が凸形状となっており、左右端部へ下降するように傾斜した傾斜面が形成されている。すなわち、雨が降った場合、物品回収装置の上面の雨水等の液体が溝部ＣＶ１ａを通って、装置本体部の左右端部へ流れて排水される構造となっている。
【００５２】
また、図１１に示した例では、上部外装カバーＣＶ１は、ＰＥＴボトル等のキャップＣＰが投入されるキャップ投入部１０８を有する。そのキャップ投入部１０８は、雨水等の液体が機内に容易に侵入しない構造に形成されている。
詳細には、キャップ投入部１０８の上部には、前方に突出した突出部１０８ａ（軒部）が形成されている。また、キャップ投入部１０８の孔部は、孔部の下端１０８ｃよりも上端１０８ｂが前方に位置する形状に形成されている。また、キャップ投入部１０８の下部には前方向かって下方に傾斜した傾斜面１０８ｄが形成されている。
すなわち、雨水等の液体が、上部外装カバーＣＶ１の上部から曲面状の表面に沿ってキャップ投入部１０８に向かって流れた場合であっても、突出部１０８ａ（軒部）により液体が下方に自然落下する、又は孔部に沿って下方へ流れるので、雨水等の液体がキャップ投入部１０８よりも内側に侵入することを防止した構造となっている。キャップ投入部１０８の孔部の下部には傾斜面１０８ｄが形成されているので、雨水等の液体が下方に自然排水される。
【００５３】
以上、説明したように、本発明の実施形態に係る物品回収装置１００は、投入口ＴＳから物品を回収するように構成されている。詳細には、物品回収装置１００は、投入口ＴＳからの物品を回収して収納部（容器収容部１４０）へ収納する収納経路（投入口ＴＳから載置部１１６、通路７１を介して容器収容部１４０へ至る経路）と、物品回収装置１００内へ侵入する液体を、上記収納経路とは異なる経路で物品回収装置外へ排出する排水経路（排水部材Ｄ１等の排水経路ＤＲ）とを有する。
すなわち、本発明の物品回収装置は、防水用パッキン等が不要で、簡単な構造で、雨水等の液体による、物品回収装置の内部の構成要素への不具合を防止することができる。
また、本発明の物品回収装置は、屋外に物品回収装置が配置された場合であっても、機体内の物品回収袋などの物品回収部（容器収容部）に雨水等の液体が溜まることを防止することができる。
【００５４】
また、物品回収装置１００は、投入口ＴＳに対して開閉自在に設けられた外扉１１１と、投入口ＴＳの内側に位置し、投入口ＴＳからの物品を載置可能な載置部１１６とを有する。載置部１１６は、装置外へ雨水等の液体を排水する排水部材Ｄ１等の排水経路ＤＲに、外扉１１１からの雨水等の液体を案内する案内部１１６ｃを有する。また、本実施形態では、載置部１１６の案内部１１６ｃは、排水部材Ｄ１等の排水経路ＤＲに対して離間して設けられている。詳細には、載置部１１６の案内部１１６ｃは、外扉１１１の流出部１１１ｃ、及び排水部材Ｄ１等の排水経路ＤＲに対して離間して配置されている。
すなわち、物品回収装置は、載置部１１６に上記案内部１１６ｃを備えるので、簡単な構造で、外扉１１１からの雨水等の液体を物品回収装置外へ容易に排水することができる。
【００５５】
また、本発明の実施形態に係る物品回収装置１００の排水経路ＤＲは、物品回収装置１００の機体１００ｋと外装カバーＣＶ（中央部外装カバーＣＶ２）との間の位置に設けられている。
すなわち、排水経路ＤＲが機体１００ｋと外装カバーＣＶ２（中央部外装カバー）の間に設けられているので、外観の美観を損なわずに、装置内部の構成要素の配置スペースを低減することなく、簡単な構造の小型の物品回収装置１００を提供することができる。
【００５６】
また、本発明の実施形態に係る物品回収装置１００の排水経路ＤＲの排水部材Ｄ１は、載置部１１６の案内部１１６ｃの下方に設けられ、案内部１１６ｃからの雨水等の液体を機体外へ導く傾斜部Ｄ１ａを有する。
すなわち、物品回収装置１００は、排水経路ＤＲの排水部材Ｄ１を有するので、例えば吸引装置を設けることなく、簡単な構造で、雨水等の液体を傾斜部Ｄ１ａに沿って機体外へ自然排水することができる。
【００５７】
また、本発明の実施形態に係る物品回収装置１００の外扉１１１は、投入口ＴＳとしての開口部ＣＶ１ｈを備えた外装カバーＣＶ１（上部外装カバー）よりも内側の位置で、スライドにより投入口ＴＳに対して開閉自在に設けられている。詳細には、外扉１１１は、外装カバーＣＶ１の開口部ＣＶ１ｈに対して閉状態で、外扉１１１の下端以外の周辺部に設けられた、雨水等の液体の侵入を防ぐ壁部１１１ｅ、１１１ｆ、１１１ｇと、外扉１１１の周辺部の下端位置に設けられた、雨水等の液体を排水経路ＤＲに流出する流出部１１１ｃとを有する。本実施形態では、外扉１１１の下端の左右端部付近に流出部１１１ｃが設けられている。
すなわち、外扉１１１が閉状態の場合、外扉１１１の壁部１１１ｅ、１１１ｆ、１１１ｇにより、雨水等の液体の装置内部への侵入を防ぐことができる。また、外扉１１１の湾曲した外面に沿って流れる雨水等の液体を、流出部１１１ｃから載置部１１６の案内部１１６ｃ、及び排水経路ＤＲを介して機体外へ排水することができる。
【００５８】
また、本発明の実施形態に係る物品回収装置１００の流出部１１１ｃは、外扉１１１の略両端に配置されている。
すなわち、１つの流出部が設けられている場合と比較して、本発明の実施形態に係る物品回収装置１００は、外扉１１１の略両端に流出部１１１ｃを有するので、簡単な構造で、物品回収装置の外観を損なわずに、排水量が多い。
【００５９】
また、本実施形態では、外扉１１１は、上部から下端部に向けて外側に湾曲した形状の曲面状部１１１ａと、下端部から前方に突出した突出部１１１ｂを有する。突出部の上面は、中央部が凸形状となるように傾斜面が形成されており、左右両端に設けられた流出部１１１ｃへ雨水等の液体が傾斜面に沿って流れるように構成されている。すなわち、簡単な構造で、雨水等の液体を外扉の下端の左右端部に設けられた流出部１１１ｃから排水することができる。
【００６０】
また、本発明の実施形態に係る物品回収装置１００の載置部１１６の案内部１１６ｃは、外扉１１１が閉状態で、外扉１１１の流出部１１１ｃの下方に所定間隔をあけて設けられている。載置部１１６の案内部１１６ｃと外扉１１１の流出部１１１ｃは所定距離だけ離間した構造である。すなわち、簡単な構造で、雨水等の液体を、外扉１１１の流出部１１１ｃ、載置部１１６の案内部１１６ｃを介して機体外へ自然排水することができる。
【００６１】
また、本実施形態の物品回収装置１００は、計量部７上に載置部１１６が配置された構造を有し、載置部１１６に載置された容器などの物品の質量を計量部７により計量する。載置部１１６は、外扉１１１の流出部１１１ｃに対して、非接触状態となるように離間しており、載置部１１６に載置された物品の質量を高精度に計量部７により計量することができるとともに、案内部１１６ｃにより、雨水等の液体を機体外に排水することができる。
【００６２】
また、詳細には、載置部１１６の案内部１１６ｃは、外扉１１１、排水経路ＤＲ、及び外装カバーＣＶ（ＣＶ１、ＣＶ２）に対して離間した構造を有する。すなわち、載置部１１６は、外扉１１１の流出部１１１ｃ、排水経路ＤＲ、外装カバーＣＶ（ＣＶ１、ＣＶ２）に対して、非接触状態となるように離間しており、載置部に載置された物品の質量を高精度に計量部により計量することができるとともに、案内部１１６ｃにより、雨水等の液体を機体外に排水することができる。
【００６３】
また、本発明の実施形態に係る物品回収装置１００の載置部１１６は、投入口ＴＳに対して反対側の端部が下向きに傾斜した物品用傾斜部１１６ｇを有する。
載置部１１６の案内部１１６ｃは、載置部１１６の投入口側の端部に設けられ、物品用傾斜部１１６ｇの傾斜に対して逆勾配の液体用傾斜部（第１傾斜部１１６ｃａ、第２傾斜部１１６ｃｂ）を有する。
すなわち、雨水等の液体が、案内部１１６ｃの液体用傾斜部（第１傾斜部１１６ｃａ、第２傾斜部１１６ｃｂ）を通って、物品回収装置の機体外へ簡単に自然排水することができる。
【００６４】
また、本発明の実施形態に係る物品回収装置１００は、載置部１１６の物品用傾斜部１１６ｇの下流側へ流れる液体（容器等から流出したジュース等の内容物）を受けて、その液体を排水経路ＤＲに案内する液体案内部１１６ｖを有する。この液体案内部１１６ｖは、載置部１１６の載置面よりも下部に設けられており、好ましくは、載置面と計量部７の間に設けられている。
すなわち、例えば、載置部１１６に載置された容器等からジュース等の液体が流出した場合であっても、その液体を液体案内部１１６ｖ、排水経路ＤＲを通って機体外に排出することができる、簡単な構造の物品回収装置１００を提供することができる。
【００６５】
また、本発明の実施形態に係る物品回収装置を有する回収システムは、例えば、店舗などに設置された計量部、収容部（容器収容部）、通信部などを有する物品回収装置と、その物品回収装置と有線式通信路や無線式通信路などの通信路を介して通信可能に接続された管理用コンピュータとを有していてもよい。
【００６６】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６７】
上述した本発明の実施形態に係る物品回収装置は、空容器を減容する減容部（減容機構）を備えていたが、この実施形態に限られるものではなく、例えば、減容機構を備えず、投入された回収対象物の空容器をそのままの状態で回収してもよい。
【００６８】
上述した実施形態では、物品回収装置は、ＰＥＴボトルなどの空容器を回収したが、アルミ缶やスチール缶などを回収する構成であってもよく、ＰＥＴボトル、アルミ缶、スチール缶の回収を兼用した装置であってもよい。
【符号の説明】
【００６９】
７…計量部
１００…物品回収装置（容器回収装置、回収装置、又は容器減容装置）
１００Ｂ…装置本体部
１００ｋ…機体
１１０…容器投入部（物品投入部）
１１１…外扉
１１１ｃ…流出部
１１１ｅ…壁部
１１１ｆ…壁部
１１１ｇ…壁部
１１２…内扉
１１６…載置部
１１６ｃ…案内部
１１６ｃａ…第１傾斜部
１１６ｃｂ…第２傾斜部
１１６ｃｃ…壁部
１１６ｇ…物品用傾斜部
１１６ｖ…液体案内部
１２０…減容部（減容機構）
１４０…容器収容部（収納部、収容部、又は物品収容部）
ＣＶ…外装カバー
ＣＶ１…上部外装カバー（外装カバー）
ＣＶ２…中央部外装カバー（外装カバー）
Ｄ１ａ…傾斜部
ＤＲ…排水経路
ＴＳ…投入口
【図１】
2019043742.tif 000003
【図２】
2019043742.tif 000004
【図３】
2019043742.tif 000005
【図４】
2019043742.tif 000006
【図５】
2019043742.tif 000007
【図６】
2019043742.tif 000008
【図７】
2019043742.tif 000009
【図８】
2019043742.tif 000010
【図９】
2019043742.tif 000011
【図１０】
2019043742.tif 000012
【図１１】
2019043742.tif 000013